(57)【要約】      （修正有）【課題】刈払機用のナイロンコードとして使用でき、従来の差込み式のナイロンコードのように簡単に挿着できて、しかも、外れないナイロンコードの巻束及びそれを用いたナイロンコードを提供する。【解決手段】刈払機１０に用いられる差込み式のナイロンコード用のホルダー１１に取付けて使用するナイロンコードの巻束において、端部から２０〜３７ｃｍの長さ毎を夫々１スパン２とし、かつ、該１スパン毎の両端部から８〜１５ｃｍの長さの位置に金具をかしめてストッパー４を設ける。さらに、両ストッパー間の長さを４〜７ｃｍにしたことを特徴とする刈払機用ナイロンコードの巻束、及び、該ナイロンコードの巻束を１スパン毎に切断したことを特徴とする刈払機用ナイロンコード片とする。【選択図】図２
0003180043.tif 000002
【実用新案登録請求の範囲】
【請求項１】
刈払機に用いられる差込み式のナイロンコード用のホルダーに取付けて使用するナイロンコードの巻束において、端部から２０〜３７ｃｍの長さ毎を夫々１スパンとし、かつ、該１スパン毎の両端部から８〜１５ｃｍの長さの位置に金具をかしめてストッパーを設け、さらに、両ストッパー間の長さを４〜７ｃｍにしたことを特徴とする刈払機用ナイロンコードの巻束。
【請求項２】
刈払機に用いられる差込み式のナイロンコード用のホルダーに取付けて使用するナイロンコードの巻束において、端部から２０〜３７ｃｍの長さ毎を夫々１スパンとし、かつ、該１スパン毎の両端部から８〜１５ｃｍの長さの位置をあらかじめ固く結んで結び目を作ってストッパーとし、さらに、両ストッパー間の長さを４〜７ｃｍにしたことを特徴とする刈払機用ナイロンコードの巻束。
【請求項３】
請求項１又は２に記載した刈払機用ナイロンコードの巻束において、該ナイロンコードの巻束を１スパン毎に切断して構成されたことを特徴とする刈払機用ナイロンコード片。
【考案の詳細な説明】
【技術分野】
【０００１】
本考案は、刈払機に取付ける差込み式のナイロンコードの巻束であって、あらかじめストッパーが設けてあるので、所定の位置で切断するだけで使用でき、また、刈払作業中にナイロンコードが紛失することを防止できる刈払機用ナイロンコードの巻束及びそれを所定の位置で切断したナイロンコード片に関するものである。
【背景技術】
【０００２】
回転式の刈払機に取付ける刃は、ナイロンコード製のものと、金属製のものと、がある。ナイロンコード製のものは、ナイロン製の刃で草を薙ぎ払って切り飛ばすので固いものは切れない。よって、障害物（建物、塀など、刈払機で傷つけてはいけない物）の際を草刈をするのに特に便利である。ナイロンコード製のものには、ホルダー部（回転部）にナイロンコードを差込んで使用するタイプと、ホルダー部にリールが内蔵されていて所定の操作によって、所定の長さのナイロンコードを自動で繰り出すタイプのものとがある。
【０００３】
ナイロンコードを自動で繰り出すタイプのものは、刈払い作業中に、エンジンを止めてナイロンコードを交換したり、引き出したりする必要がないので大変便利であり、様々な商品が開発されて使用されている。例えば、ナイロンコードが磨耗して短くなると刈払機のホルダー部が回転する遠心力によってナイロンコード１ピッチ分を自動的に繰り出す発明が先行技術として開示されている（文献１）。
【０００４】
しかし、前記先行技術１は、磨耗して短くならないとナイロンコードが新たに繰り出されない。この場合、ナイロンコードの断面形状（例えば、スパイラル形状、鮫牙形状、星型形状等）に特徴があって、これにより刈払いできるものは、表面だけが磨耗により磨り減ってしまったとしても短く磨耗しないので、新しい表面状態のナイロンコードが繰り出されないから、ナイロンコードの断面形状の特性、即ち切れ味を生かせないという問題があった。
【０００５】
一方、ナイロンコードをホルダー部に手で差込んで使用するタイプのものもは、自動に繰り出すタイプのものより構造が簡単であるため価格が安いこと及び重量が軽くて扱いやすいこと、また、表面が磨り減っていしまえば、自由にナイロンコードを交換できること、等の理由で、依然、頻繁に使用されており、こちらのタイプも様々な商品が開発されている。しかし、差込みタイプは、安価で軽量であるが、ストッパーの付いたナイロンコードをホルダーの内側から挿入孔に挿着したものが、使用中に固い障害物に当たった反動で中心方向に一瞬力が加わって挿入孔からナイロンコードが抜け落ちて紛失する問題があった。
【０００６】
そこで、ナイロンコードの離脱を防止するためにナイロンコードを折り返して用いる発明が先行技術として開示されている（文献２）。
【先行技術文献】
【特許文献】
【０００７】
【特許文献１】特開平５−１６８３２８号公報（〔請求項１〕、〔０００８〜００１８〕、〔図１〜５〕）。
【特許文献２】特開２０００−０８３４３９号公報（〔請求項１、２〕、〔０００６〜００１２〕、〔図１〜５〕）。
【考案の概要】
【考案が解決しようとする課題】
【０００８】
前記先行技術２は、ナイロンコードをホルダーに折り返して突起に引掛けて使用するので、ナイロンコードを紛失するおそれは少ないが、硬いナイロンコードを折り返して挿着するので、挿着作業に手間取るという問題があった。また、あらかじめ所定の長さに切断した予備のナイロンコードをポケットなどに入れて作業すると作業中に落として紛失してしまうという問題があった。
【０００９】
そこで、上記の問題を解決するために、所定の位置で切断すれば差込み式のナイロンコードとして使用でき、従来の差込み式のナイロンコードのように簡単に挿着できて、しかも、外れないナイロンコードの巻束及びそのナイロンコード片を考案して提供するものである。
【課題を解決するための手段】
【００１０】
本考案の請求項１に係る刈払機用ナイロンコードの巻束は、刈払機に用いられる差込み式のナイロンコード用のホルダーに取付けて使用するナイロンコードの巻束において、端部から２０〜３７ｃｍの長さ毎を夫々１スパンとし、かつ、該１スパン毎の両端部から８〜１５ｃｍの長さの位置に金具をかしめてストッパーを設け、さらに、両ストッパー間の長さを４〜７ｃｍにしたことを特徴とする。
【００１１】
本考案の請求項２に係る刈払機用ナイロンコードの巻束は、刈払機に用いられる差込み式のナイロンコード用のホルダーに取付けて使用するナイロンコードの巻束において、端部から２０〜３７ｃｍの長さ毎を夫々１スパンとし、かつ、該１スパン毎の両端部から８〜１５ｃｍの長さの位置をあらかじめ固く結んで結び目を作ってストッパーとし、さらに、両ストッパー間の長さを４〜７ｃｍにしたことを特徴とする。
【００１２】
本考案の請求項３に係る刈払機用ナイロンコード片は、請求項１又は２に記載したナイロンコードの巻束において、該ナイロンコードの巻束を１スパン毎に切断して構成されたことを特徴とする。
【００１３】
本考案に係る刈払機用ナイロンコード片（以下、ナイロンコード片と称す。）は、草刈に用いられる刈払機の差込み式のナイロンコード片であって、２０〜３７ｃｍを１スパンのナイロンコード片として、その１スパンのナイロンコード片の両端から８〜１５ｃｍの位置にストッパーを設けてある。そのナイロンコード片を差込み式のホルダーの相対する２つの挿入孔の内側から外側に向かって差込んで使用する。これによって、ナイロンコード片を外に飛び出させる遠心力をストッパーの引っかかりによって抵抗し、ナイロンコード片は外に向かって飛び出さない。また、刈払い作業中に硬い草木や障害物等にナイロンコード片が当たった際に、その反動でナイロンコード片に内側に向かう力が一瞬働く場合があるが、その場合においても、反対側のナイロンコード片のストッパーがあるので、該ストッパー部に引っかかるので、引っかかった部分が動かない。そして、２つのストッパー間の距離が４〜７ｃｍであって、ナイロンコード片自体にある程度の硬さがあるので、その間の緩みが少ないこと、さらに、ストッパーから端部までの長さが８〜１５ｃｍであることと相まって、挿入孔から障害物に当たった側のナイロンコード片が完全に抜け落ちることがない。したがって、刈払い作業中に、使用中のナイロンコード片を紛失することがないので、作業時間やナイロンコード片の材料費の無駄を省くことができる。なお、ストッパーは、金属をかしめたものと、ナイロンコードを固く結んだ結び目ものとがある。
【００１４】
また、本考案に係るナイロンコード片は、単純な構造である差込み式ホルダーに使用できるので、ナイロンコード片を両挿入孔に差込むだけ簡単に挿着することができ、また、交換する際にも古いナイロンコード片を両挿入孔から抜いて、新しいナイロンコード片を差込むだけの簡単で単純な作業であり、煩わしい作業が一切なく手軽にできる。よって、ナイロンコードの挿着、交換に時間や労力を要さず、頻繁にナイロンコード片を交換しても時間や労力の無駄を最小限に抑えることができる。したがって、スパイラル形状、鮫牙形状、星型形状等の断面形状に特長を持つナイロンコード片の表面が刈払い作業により丸くなれば、素早く交換することができて、夫々の断面形状の特長を発揮し刈払いを続けることができる。
【００１５】
また、ナイロンコード片は、あらかじめ固く結んで結び目を作ってあり、作業員が刈払い作業中に手で強く結ぶ必要がないので、硬くて表面が尖っているナイロンコード片で手を傷めない。特にナイロンコード片の断面形状が、スパイラル形状、鮫牙形状、星型形状であっても結ぶ作業で手が痛くならないので、手の痛さが原因で起こる結び目不良による作業中のナイロンコード片の紛失を防ぐことができる。
【００１６】
また、本考案に係る刈払機用ナイロンコードの巻束は、前述のナイロンコード片を１スパンとして、それが複数スパン連続的に繋がっているものである。よって、刈払いをする作業員は、この巻束を持って行って刈払い作業を行い、ナイロンコード片の交換時に１スパン分を切断して使用するだけでよいので手間が掛からないし、交換用のナイロンコード片を作業中に落として紛失することもない。
【考案の効果】
【００１７】
本考案に係る請求項１から２に記載の刈払機用ナイロンコードの巻束によれば、ナイロンコードの巻束から１スパン分を切断するだけで差込み式の刈払機のホルダー用のナイロンコード片として使用できるので、大変便利である。また、本考案に係る請求項３に記載のナイロンコード片によれば、刈払い作業中に、使用中のホルダー部に挿着したナイロンコード片を紛失することがないので、作業時間やナイロンコード片の材料費の無駄を省くことができる。また、ナイロンコード片の挿着、交換に時間や労力を要さず、頻繁にナイロンコード片を交換しても時間や労力の無駄を最小限に抑えることができる。また、結び目不良による作業中のナイロンコード片の紛失及び交換用のナイロンコード片の紛失を防ぐことができる。
【図面の簡単な説明】
【００１８】
【図１】図１は、本考案を実施するための形態に係る刈払機用ナイロンコードの巻束の模式的斜視図である。
【図２】図２は、本考案を実施するための形態に係るナイロンコード片を刈払機に装着した模式的斜視図である。
【図３】図３は、図２における刈払機のホルダー部分の拡大図である。
【図４ａ】図４（ａ）は、本考案を実施するための形態に係るナイロンコード片であって、金属製のストッパーをかしめたナイロンコード片の模式的斜視図である。
【図４ｂ】図４（ｂ）は、本考案を実施するための形態に係るナイロンコード片であって、固く結んだ結び目のストッパーを有するナイロンコード片の模式的斜視図である。
【考案を実施するための形態】
【００１９】
本考案に係る刈払機用ナイロンコードの巻束及びそのナイロンコード片を実施するための形態について図１、図２、図３、図４（ａ）、（ｂ）を用いて説明する。図１は、本考案を実施するための形態に刈払機用ナイロンコードの巻束の模式的斜視図である。図２は、本考案を実施するための形態に係るナイロンコード片を刈払機に装着した模式的斜視図である。図３は、図２における刈払機のホルダー部分の拡大図である。図４（ａ）は、本考案を実施するための形態に係るナイロンコード片であって、金属製のストッパーをかしめたナイロンコード片の模式的斜視図であり、図４（ｂ）は、本考案を実施するための形態に係るナイロンコード片であって、固く結んだ結び目のストッパーを有するナイロンコードの模式的斜視図である。
【００２０】
図１、図２、図３、図４（ａ）、（ｂ）を用いて、刈払機用ナイロンコードの巻束１及びそのナイロンコード片２を説明する。本考案に係る刈払機用ナイロンコードの巻束１は、複数スパンのナイロンコード片２から構成されており、さらに、１スパン分のナイロンコード片２は、ナイロンコード本体３と、２個のストッパー４と、から構成されている。本考案に係る刈払機用ナイロンコードの巻束１から、必要に応じて、１スパン分のナイロンコード片２を切断して使用する。
【００２１】
１スパン分のナイロンコード片２は、全長が２０〜３７ｃｍのナイロンコード３でできており、ナイロンコード片２の両端部から８〜１５ｃｍの位置に夫々ストッパー４を１つずつ設けてある。２つのストッパー４間の長さは、４〜７ｃｍとなっている。夫々のストッパー４からナイロンコード片２の両端部までが、刈払機の刃となる部分である（ホルダーの挿入孔を除く）。ナイロンコード片２の刃の長さは、ガード１４に当たらないような長さにする必要がある。なお、両端の２つの刃の長さは、通常、同じ長さである。
【００２２】
ナイロンコード３は、従来から用いられていナイロンコードの束である。また、その断面形状も従来からある円形状、四角形状、星型形状、スパイラル形状、鮫牙形状を用いることができる。刈払い作業における作業効率、即ち、刃の切れ味を考慮すれば、星型形状、スパイラル形状、鮫牙形状のものが好ましい。
【００２３】
また、ストッパー４は、金属をナイロンコード３にかしめてストッパー４にするものと、ナイロンコード３を固く結んだ結び目をストッパー４にするもの２種類がある。ストッパー４は、差込み式のホルダー１１の内側から挿入孔１２に差込んだ際に、ホルダー１１の挿入孔１２の入口に引っかかって、回転軸１３を中心軸として回転するホルダー１１の遠心力で外側に抜け落ちない程度の出っ張りが必要である。
【００２４】
次に、本考案に係る刈払機用ナイロンコードの巻束１の製造方法の一例を説明する。まず、射出成形して様々な断面形状にしたナイロンコード３を５〜２０ｍ製造する。そのナイロンコード３を２０〜３７ｃｍの所定の長さにピッチ割をし、１ピッチ毎に印５を打つ。印５は、ナイロンコード３の横断方向に目立つように、ラインを引いても良いし、表面に切込みを入れても良い。そして、その１ピッチ毎に、印５から８〜１５ｃｍの位置にストッパー４を設ける。ストッパー４は、前述のように金属製のものとナイロンコード３を固く結んだ結び目のものとがある。金属製のストッパー４は、筒状のものをナイロンコード３に通し、前述の所定の位置でかしめても良いし、Ｕ字状のものをナイロンコード３の側部から、所定の位置にはめ込んで、かしめても良い。また、ナイロンコード３を固く結ぶものは、結び目に１〜３ｃｍぐらい長さのロスがあるので、それを考慮してピッチ割をすることが好ましい。そして、ストッパー４を所定の位置に所定の数量設けて巻束にすれば、本考案に係る刈払機用ナイロンコードの巻束１は、完成である。
【００２５】
次に、本考案に係る刈払機用ナイロンコードの巻束１及びそのナイロンコード片２の使用方法の一例を説明する。刈払機用ナイロンコードの巻束１及びそのナイロンコード片２は、刈払機１０に用いるものである。まず、刈払機用ナイロンコードの巻束１から、最初の印５の位置でカッター、ハサミ等を用いて切断する。これによって、刈払機用ナイロンコードの巻束１から、実際に使用する形態である１スパン分のナイロンコード片２を取り出すことができる。
【００２６】
次に、取り出した１スパン分のナイロンコード片２を刈払機１０の差込み式のホルダー部１１の２つ挿入孔１２の内側から外側に向かって挿入する。このとき刃となるナイロンコード片２の部分を十分にホルダー１１の外側へ十分に引き出し、２つのストッパー４を夫々ホルダー１１の内側の挿入孔１２の入口に接するようにセットする。これで使用前の準備は完了である。ナイロンコード片２には、あらかじめストッパー４が付いているので、作業員が現場で、金属製のストッパー４を着けたり、手で固く結んだりしてストッパー４を作成する必要がないので、作業員は快適にナイロンコード片２を快適に挿着又は交換できる。
【００２７】
本考案に係るナイロンコード片２を刈払機１０にセットしたものを使用して草刈をすれば、ナイロンコード片２は、ホルダー１１の回転による遠心力で外に飛び出そうとするが、２つのストッパー４によって挿入孔１２の入口に引っかかるので、外方に飛んで行って紛失することはない。また、家の塀、立木等の固くて切断できない障害物に当たった際に、その障害物に対する衝突の反動で内側に向かう力が作用して挿入孔１２の内側からナイロンコード片２が抜け落ちることが考えられるが、本考案に係るナイロンコード片２は、２つのストッパー４間の長さが４〜７ｃｍであって長すぎないことと、ナイロンコード片２自体が適度な固さがあるので緩みが少ないことと相まって、ナイロンコード片２の刃の部分が挿入孔１２から完全に抜ける落ちることがなく、作業中に使用中のナイロンコード片２を紛失することがない。よって、作業者の意図しない紛失によるナイロンコード片２の交換がなくなるので、作業効率が上がると共に、無駄がなくなり経済的である。
【００２８】
ナイロンコード片２を使用していけば、雑草や障害物との摩擦によって、ナイロンコード片２の表面が磨り減ってナイロンコード片２の断面形状（星型形状、スパイラル形状等）による切断能力が落ちて、切れ味が悪くなる。そこで、使用中のナイロンコード片２の切れ味が落ちてきた際に、機械を止めて、使用していたナイロンコード片２をホルダー１１の挿入孔１２の入口から内側に引っ張り出してホルダー１１から外す。そして、刈払機用ナイロンコードの巻束１から次の目印５でナイロンコード１のを切断するだけで、次に使用する分のナイロンコード片２を取り出すことができる。そのナイロンコード片２を前述したようにして、ホルダー１１にセットする。よって、本考案に係る刈払機用ナイロンコードの巻束１及びそれを用いたナイロンコード２を使用すれば、作業現場で簡単にナイロンコード２を取り出してセットすることができるので、作業効率がよい。また、あらかじめ切断したナイロンコードを持ち歩かないので、未使用のナイロンコード片２を紛失することがないので、無駄がなく経済的である。
【００２９】
このように、ナイロンコード片２の交換作業が簡単であり、よって、ナイロンコード片２の切れ味が劣ると作業員の意思で直ぐに交換できるので、ナイロンコード片２の断面形状の特性による刈払能力を維持できるので、刈払作業を遺憾なく発揮することができる。
【産業上の利用可能性】
【００３０】
差込み式のホルダーを用いた刈払機での草刈作業の分野で広く利用できる。
【符号の説明】
【００３１】
１：ナイロンコードの巻束
２：ナイロンコード片（１スパン分）
３：ナイロンコード本体
４：ストッパー
５：ナイロンコード１スパン毎の印
１０：刈払機
１１：ホルダー部
１２：挿入孔
１３：回転軸
１４：ガード
【図１】
0003180043.tif 000003
【図２】
0003180043.tif 000004
【図３】
0003180043.tif 000005
【図４ａ】
0003180043.tif 000006
【図４ｂ】
0003180043.tif 000007